(57)【要約】      （修正有）【課題】簡易な構造且つ移動機構を原因とする装置の破損を抑制し、作業通路のスペース減・栽培面積増加・必要に応じて作業通路を作ることが可能な園芸生産システムを提供する。【解決手段】栽培装置１は栽培容器を載置する培地保持体Ｂ，Ｃと載置台Ａを備え、載置台Ａは、水平方向に移動可能なスライド部３、スライド部が取着された基台部２、スライド部と基台部間に設けた移動機構４を備え、移動機構４は、２本の円筒又は中実の円棒である回動体４１ａ、４１ｂ、挿通した回動体が内部で回転可能に形成された一対の保持管４２２、各保持管を横方向に繋ぐスペーサー桿４２４を備え、スライド部と基台部には、スライド移動を止めるストッパー部材３４４、スライド部の脱落防止部材３４６が設けられ、各部材の協働によりスライド部が基台部から外れないか又は外れにくく構成されている。【選択図】図１
2012152193.tif 000002
【特許請求の範囲】
【請求項１】
園芸生産に用いる栽培装置であって、
前記栽培装置は、栽培対象植物の培地を直接収容するか又は培地を収容した栽培容器を保持又は載置するように形成された培地保持体と、培地保持体を載置すべく培地保持体の下方に設けられた載置台と、を備えており、
前記載置台は、
培地保持体を上面に載置し、水平方向に移動可能に構成されたスライド部と、
スライド部が取着された基台部と、
スライド部と基台部の間に設けられており、並行に配置された２以上の回動体と、各回動体の間を等間隔に保持するスペーサー部材を備えた移動機構と、
を備えている、
栽培装置。
【請求項２】
園芸生産に用いる栽培装置であって、
前記栽培装置は、栽培対象植物の培地を直接収容するか又は培地を収容した栽培容器を保持又は載置するように形成された培地保持体と、培地保持体を載置すべく培地保持体の下方に設けられた載置台と、を備えており、
前記載置台は、
培地保持体を上面に載置し、水平方向に移動可能に構成されたスライド部と、
スライド部が取着された基台部と、
スライド部と基台部の間に設けられており、並行に配置された２以上の回動体と、各回動体の間を等間隔に保持するスペーサー部材を備えた移動機構と、
を備えており、
移動機構は、回動体である２本の円筒又は中実の円棒と、各回動体の間に所要間隔を空けて取着された複数のスペーサー部材を備え、前記各スペーサー部材は、その内径が回動体よりも径大であって、内部で回動体が回転可能に形成された一対の保持管と、各保持管を横方向に繋ぐ棒状のスペーサー桿を備え、前記回動体がスペーサー部材の各保持管にそれぞれ挿通された構造であり、
スライド部と基台部には、水平方向の移動を止めるストッパー部材と、スライド部の脱落防止部材がそれぞれ設けてあり、該各部材が協働することによって、スライド部の移動により重心が移動したとしても、スライド部が基台部から外れないか又は外れにくく構成されている、
栽培装置。
【請求項３】
請求項１又は２記載の栽培装置を、園芸生産を行う作業場に複数配置する園芸生産システムであって、
作業場において、前記栽培装置のスライド部がスライドする方向へ、前記栽培装置が並列に複数配置され、スライド部に載置した培地保持体には、栽培対象植物の培地が収容されるか又は培地を収容した栽培容器が保持又は載置されており、
作業がないときは、各栽培装置のスライド部は少なくとも一列の通路分のスペースを空けて、隣接させるか又はほぼ隙間を空けずに寄せておき、
栽培対象植物に園芸作業を行う際には、作業対象となる培地保持体の横に通路ができるように、培地保持体を載置したスライド部を水平方向にスライド移動させて、通路を作ることができるように構成されている、
園芸生産システム。
【発明の詳細な説明】
【技術分野】
【０００１】
本発明は、栽培装置及びそれを使用した園芸生産システムに関する。
更に詳しくは、園芸生産に用いる栽培装置であって、簡易な構造でありながらも移動機構を原因とする装置の破損を抑制しうる構造を備えたもの、及び、該栽培装置を使用した園芸生産システムであって、作業通路のスペースを減じて栽培面積を増加させ、栽培装置の移動により必要に応じて作業通路を作ることができるものに関する。
【背景技術】
【０００２】
従来、園芸生産において、面積が限られた作業場において栽培面積を増加させ且つ作業を効率的に行うことができるようにすべく、移動機構を備えた栽培装置が提案されている。
前記栽培装置としては、例えば、フラットベッド状或いはベンチ状の載置台（載置枠）に培地、栽培容器又は栽培槽が設けられており、載置台等にキャスターの付いた脚部等の移動機構を備えたものが挙げられる。
【０００３】
前記栽培装置によれば、本来固定的な通路を設ける予定の分のスペースに栽培装置を配置して栽培面積を増加させることができる（栽培装置間に複数の固定的な通路を設ける必要が無く、通路は一つで済む。）。また、必要に応じて栽培装置を移動させることで作業が必要な栽培装置への通路を作ることができるので、作業も効率的に行うことができるという利点がある。
【０００４】
前記栽培装置の一例として、特許文献１に示すような水耕栽培装置が提案されている。
特許文献１に係る水耕栽培装置は、移動機構として、支持台の脚部下端にローラー体が取着され、該ローラー体がパイプ状の回動体の上に配置されており、回動体と直交するように地面に敷設された軌道上を水耕栽培装置が移動するように設けられている。
【先行技術文献】
【特許文献】
【０００５】
【特許文献１】特開２００５−４６０２５号
【発明の開示】
【発明が解決しようとする課題】
【０００６】
しかし、特許文献１にかかる水耕栽培装置は多数のローラー体が必要であり、製造コストが高くなるになるという課題があった。
【０００７】
他方で、ローラー体をなくして前記課題を解決すべく、上部にレールを備えた架台を組んで、その上に複数のパイプ状の回動体（以下「転（ころ）パイプ」という。）を所定間隔で配置し、転パイプの上に載置台を置くという構造も考えられる。
しかし、単に複数の転パイプを置いただけでは、転パイプが定置せず、転パイプがレールに対して斜めになったり、転パイプ間の間隔が変わることがある。この結果、載置台に設計時に想定していないような負荷が加わったり又はバランスの変化が起こり、載置台が転覆したり破損する可能性がある。
このため、転パイプを架台に取着された軸受部材で保持する必要があったが、設備の規模を大きくすると、軸受部材が多数必要になり、前記の場合と同様に製造コストが高くなるになるという課題があった。
【０００８】
（発明の目的）
そこで、本発明の目的は、簡易な構造でありながら、移動機構を原因とする装置の破損を抑制しうる構造を備えた栽培装置を提供することにある。
【０００９】
また、本発明の目的は、前記栽培装置を使用することで、作業通路のスペースを減じて栽培面積を増加させ、栽培装置の移動により必要に応じて作業通路を作ることができる園芸生産システムを提供することにある。
【課題を解決するための手段】
【００１０】
上記目的を達成するために講じた本発明の手段は次のとおりである。
本発明は、
園芸生産に用いる栽培装置であって、
前記栽培装置は、栽培対象植物の培地を直接収容するか又は培地を収容した栽培容器を保持又は載置するように形成された培地保持体と、培地保持体を載置すべく培地保持体の下方に設けられた載置台と、を備えており、
前記載置台は、
培地保持体を上面に載置し、水平方向に移動可能に構成されたスライド部と、
スライド部が取着された基台部と、
スライド部と基台部の間に設けられており、並行に配置された２以上の回動体と、各回動体の間を等間隔に保持するスペーサー部材を備えた移動機構と、
を備えている、
栽培装置である。
【００１１】
本発明は、
園芸生産に用いる栽培装置であって、
前記栽培装置は、栽培対象植物の培地を直接収容するか又は培地を収容した栽培容器を保持又は載置するように形成された培地保持体と、培地保持体を載置すべく培地保持体の下方に設けられた載置台と、を備えており、
前記載置台は、
培地保持体を上面に載置し、水平方向に移動可能に構成されたスライド部と、
スライド部が取着された基台部と、
スライド部と基台部の間に設けられており、並行に配置された２以上の回動体と、各回動体の間を等間隔に保持するスペーサー部材を備えた移動機構と、
を備えており、
移動機構は、回動体である２本の円筒又は中実の円棒と、各回動体の間に所要間隔を空けて取着された複数のスペーサー部材を備え、前記各スペーサー部材は、その内径が回動体よりも径大であって、内部で回動体が回転可能に形成された一対の保持管と、各保持管を横方向に繋ぐ棒状のスペーサー桿を備え、前記回動体がスペーサー部材の各保持管にそれぞれ挿通された構造であり、
スライド部と基台部には、水平方向の移動を止めるストッパー部材と、スライド部の脱落防止部材がそれぞれ設けてあり、該各部材が協働することによって、スライド部の移動により重心が移動したとしても、スライド部が基台部から外れないか又は外れにくく構成されている、
栽培装置である。
【００１２】
本発明は、
前記いずれかの栽培装置を、園芸生産を行う作業場に複数配置する園芸生産システムであって、
作業場において、前記栽培装置のスライド部がスライドする方向へ、前記栽培装置が並列に複数配置され、スライド部に載置した培地保持体には、栽培対象植物の培地が収容されるか又は培地を収容した栽培容器が保持又は載置されており、
作業がないときは、各栽培装置のスライド部は少なくとも一列の通路分のスペースを空けて、隣接させるか又はほぼ隙間を空けずに寄せておき、
栽培対象植物に園芸作業を行う際には、作業対象となる培地保持体の横に通路ができるように、培地保持体を載置したスライド部を水平方向にスライド移動させて、通路を作ることができるように構成されている、
園芸生産システムである。
【００１３】
本明細書及び本願の特許請求の範囲にいう培地保持体は、例えば、培地保持体に１又は２以上の有底収容部が形成され、栽培対象植物の培地を直接収容するものであってもよいし、または、培地を収容した栽培容器を載置可能に形成された台状のもの、あるいは、培地を収容した栽培容器を保持可能に形成された枠状のものであってもよいし、前記構造を組み合わせたものであってもよい。
【００１４】
本明細書及び本願の特許請求の範囲にいう培地としては、例えば、土、綿、スポンジ、不織布その他通気性及び通水性を有する連続気泡体、液体、またはこれらの組み合わせが挙げられる。
【００１５】
本明細書及び本願の特許請求の範囲にいう回動体は、例えば、円筒又は中実の円棒が挙げられるが、これに限定するものではなく、車輪状の回動体等の公知部材であってもよい。
【００１６】
（作  用）
本発明に係る栽培装置及びそれを使用した園芸生産システムの作用を説明する。
【００１７】
園芸生産を行う作業場に複数の栽培装置をスライド方向へ並列に配置し、スライド部の上に載置した培地保持体に、栽培対象植物の培地を直接収容するか、または、培地を収容した栽培容器を保持又は載置させる。
通常時（特に作業を行わない場合）、各栽培装置のスライド部は少なくとも一列の通路分のスペースを空けて（隣接させるか又はほぼ隙間を空けずに）寄せておく。
【００１８】
播種、苗等の植栽、施肥、剪定、果実等の収穫等の作業（以下「園芸作業」という。）を行う場合には、作業対象となる培地保持体の横に通路ができるように、培地保持体を載置したスライド部を水平方向に移動（スライド）させる。
このとき、スペーサー部材により各回動体の間が等間隔に保持されるので、回動体がフレームに対して斜めになったり、回動体間の間隔が変わるような状況が生じないか又は生じにくい。
【００１９】
この結果、栽培装置へ設計時に想定していないような負荷が加わらないか又は加わりにくく、移動機構を原因とする装置の破損が起こらないか又は起こりにくい。
【００２０】
また、スライド部と基台部にストッパー部材とスライド部の脱落防止部材がそれぞれ設けてあるものは、スライド部のスライド移動によって重心が移動したとしても、スライド部と基台部との組み合わせ構造によってスライド部が基台部から外れない。
【発明の効果】
【００２１】
本発明によれば、栽培装置の移動機構が多数の軸受を不要とする簡易な構造でありながらも、移動機構である回動体が軌道に対して斜めになったり、回動体間の間隔が変わったりしないので、移動機構を原因とする装置の破損が起こらないか又は起こりにくい。また、移動機構が簡易な構造であるため製造コストを抑制することができる。
【００２２】
また、スライド部と基台部にストッパー部材とスライド部の脱落防止部材がそれぞれ設けてあるものは、スライド部のスライド移動によって重心が移動したとしても、スライド部と基台部との組み合わせ構造によってスライド部が基台部から外れることがなく、安全に園芸作業ができる。
【００２３】
また、本発明によれば、前記栽培装置を使用して、本来固定的な通路を設ける予定の分のスペースに栽培装置を配置して栽培面積を増加させることができ、必要に応じて栽培装置を移動させることで作業が必要な栽培装置への通路を作ることができるので、安全で効率的な園芸作業を行うことができる園芸生産システムを提供できる。特に、ビニールハウスその他建築物内で行う屋内園芸生産に好適に使用できる。
【図面の簡単な説明】
【００２４】
【図１】本発明に係る栽培装置の分解斜視説明図。
【図２】図１の栽培装置の動作を示す側面視説明図。
【図３】図１の栽培装置の載置台からスライド部を取り外し、基台部と移動機構を示した斜視図。
【図４】図１の栽培装置の一の使用状態を示す説明図。
【図５】図１の栽培装置の他の使用状態を示す説明図。
【発明を実施するための形態】
【００２５】
本発明の実施の形態を図面に基づき更に詳細に説明する。
図１乃至図３に示す栽培装置１は、園芸生産に用いるものである。
栽培装置１は、栽培容器である水耕栽培用プランターＣと、水耕栽培用プランターＣを上面に載置する培地保持体である板状のパレットＢと、パレットＢを上部に載置する載置台Ａと、を備えている。
【００２６】
なお、栽培容器として水耕栽培用プランターを使用しているが、これに限定するものではなく、通常のプランター、鉢等の公知の栽培容器であってもよい。
【００２７】
また、培地保持体であるパレットは、重量軽減の点から硬質の発泡プラスチックにより形成されたものが好適に使用されるが、これに限定するものではなく、他の高分子発泡体や、合成樹脂、ガラス繊維強化プラスチック（ＦＲＰ）、木質材、紙質材、石膏ボードの板材、合成樹脂又は金属性の網状部材又はこれらを組み合わせたものであってもよい。更に、パレット自体の構造が培地を直接収容できるもの（パレットとプランターが一体となったもの）であってもよい。
【００２８】
載置台Ａについて説明する。
載置台Ａは、パイプを格子状に組んで長尺に形成されたものであって、正面視四角型の枠体を長手方向に所要間隔を空けて複数連結した基台部２と、基台部２よりも短手方向に幅広であって該基台部２の上部に取着されたスライド部３と、基台部２とスライド部３の間へ配置された移動機構４と、を備えている。前記スライド部３は、移動機構４によって載置台Ａの幅方向（短手方向）へスライド可能に構成されており、スライド部３上面にパレットＢを載置可能に形成されている。
【００２９】
なお、載置台Ａを構成するパイプは、強度、製造コストの点から金属パイプが好適に使用されるが、例えば、合成樹脂、繊維強化プラスチック等その他公知材料により形成されたものであってもよいし、金属又は強化プラスチック等のパイプを組み合わせたもの等であってもよい。また、パイプの形状は、円管のほか、例えば三角管、四角管その他多角管又はこれらの組み合わせであってもよい。
【００３０】
（基台部２）
基台部２は、正面視四角型に形成された複数の枠体２０と、各枠体２０の側部に固着して複数の枠体２０を長手方向に所要間隔を空けて連結する一対の連結枠２１により形成されている。
【００３１】
枠体２０は、垂直に設けられた一対の基台縦枠２０２と、各基台縦枠２０２の上端に横架して固着された基台上枠２０４と、各基台縦枠２０２の下端に横架して固着された基台下枠２０６により形成されている。
【００３２】
各連結枠２１は、それぞれが枠体２０の左右側部（即ち、各基台縦枠２０２）の同じ高さの位置に固着されており、所要間隔を空けて配置された各枠体２０の側部（基台縦枠２０２）に横架されている。前記連結枠２１の固着位置（高さ）は、基台上枠２０４から所要間隔を開けた下方の箇所である。
【００３３】
なお、図面には特に示していないが、載置台が転倒しにくいようにより安定させるため、載置台の基台下枠の一部又は全部をコンクリートで埋設するか又は基台下枠にアンカーユニット等の公知の固定手段を用いることで、設置箇所に固定してもよい。
【００３４】
（スライド部３）
スライド部３は、複数の短辺枠３１と各短辺枠３１の各端部を固着するように横架された一対の長辺枠３２とを備える平面視長方形に形成された主枠３０と、主枠３０の上面に設けられた複数の載置枠３３と、主枠３０の各角部に形成されたストッパー枠３４と、を備えている。
【００３５】
前記各短辺枠３１は、基台部２の基台上枠２０４よりも長尺に形成されている。
前記各長辺枠３２は、枠体２０の連結枠２１よりもやや短い長さに形成されている。
【００３６】
前記載置枠３３は、短辺枠３１上面に所要間隔を空けて複数設けられており、長辺枠３２と平行に且つほぼ同じ長さで横架されている。
【００３７】
ストッパー枠３４は、スライド部３の長手方向両端に位置する短辺枠３１に形成されており、該短辺枠３１の各角部から垂直上方に延設された一対の上部ストッパー枠３４２と、該短辺枠３１の各角部から垂直下方に延設された一対の下部ストッパー枠３４４と、各下部ストッパー枠３４４の先端に固着され、短辺枠３１と平行に且つほぼ同じ長さで横架されている下部ストッパー下枠３４６と、を備えている。
【００３８】
（移動機構４）
移動機構４は、回動体である２本の転パイプ４１ａ，４１ｂと、各転パイプの間に所要間隔を空けて取着された複数のスペーサー部材４２を備えている（図３参照）。
【００３９】
各スペーサー部材４２は、一対の保持管４２２と、各保持管４２２を横方向に繋ぐ棒状のスペーサー桿４２４を備えており、前記転パイプ４１ａ，４１ｂは、スペーサー部材４２の各保持管４２２にそれぞれ挿通される。前記保持管４２２は、その内径が転パイプよりも径大であって、管内で転パイプが回転可能に形成されている。
【００４０】
（基台部２、スライド部３及び移動機構４の組み合わせ構造）
基台部２、スライド部３及び移動機構４の組み合わせ構造について、以下説明する。
スライド部３は基台部２の上部へ組み合わせて取着されており、基台部２とスライド部３の間に配置された移動機構４により載置台Ａの幅方向（短手方向）へスライド可能に構成されている。
【００４１】
前記移動機構４は、転パイプ４１ａ，４１ｂの下面が基台部２の各基台上枠２０４上面と当接し、転パイプ４１ａ，４１ｂの上面がスライド部３の各短辺枠３１下面に当接しており、各基台上枠２０４と各短辺枠３１の間に挟まるように配置されている（図１及び図２参照）。
【００４２】
基台部２とスライド部３の組み合わせ構造の細部については以下の通りである。なお、下記（１）〜（３）の構造は、図面に現れていないが載置台Ａの反対側においても同様である。
【００４３】
（１）スライド部３のストッパー枠３４は、基台部２の枠体２０よりもやや長手方向中央側（図１〜３において奥側）に位置するように組み合わされている。
【００４４】
（２）スライド部３の下部ストッパー下枠３４６が、基台部２の連結枠２１の下側に位置するよう組み合わせてあり、下部ストッパー下枠３４６の上面と連結枠２１下面は摺動可能に接するか又はやや隙間（１〜１０ｍｍ以下）を空けて組み合わされている（図１及び図２参照）。
【００４５】
（３）スライド部３の各下部ストッパー枠３４４（の下端近傍）が、基台部２の各連結枠２１の側部に当たって当該箇所で止まる（それ以上スライドしない）ように組み合わされている（図１及び図２参照）。
【００４６】
なお、本実施の形態では、載置台の基台部の各枠体は、正面視四角型に形成されているが、これに限定するものではなく、例えば、正面視で下方に向かって拡がった略台形又は基台下枠の無い正面視門型等の形状であってもよい。
【００４７】
また、本実施の形態及び図面には、移動機構４の各転パイプ４１ａ，４１ｂに回転力を加える手段を特に記載していないが、例えば、各転パイプ４１ａ，４１ｂのいずれか又は両方にハンドルを設けて、該ハンドルによって転パイプを回動させてスライド部３を移動させる手段を設けてもよい。同様の作用を奏するのであれば、転パイプを回動させる他の公知手段（例えば、各転パイプ４１ａ，４１ｂのいずれか又は両方に平歯車又はプーリーを取着し、チェーン、ベルト等を介しモーター等の動力によって転パイプを回動させてスライド部３を移動させる構造等）であってもよい。
【００４８】
（作  用）
図１〜図３を参照して、栽培装置１の作用を説明する。
前記の通り、栽培装置１の載置台Ａは、そのスライド部３が載置台Ａの幅方向（短手方向）へスライド移動する。
【００４９】
このとき、移動機構４の転パイプ４１ａ，４１ｂがそれぞれ基台部２の基台上枠２０４上面で回転し、スライド部３の短辺枠３１下面と当接しながら、スライド部３が左右いずれかへスライド移動するが、転パイプ４１ａ，４１ｂの間にはスペーサー桿４２４が設けられているので、これによって各転パイプ４１ａ，４１ｂの間が等間隔に保持され、各転パイプ４１ａ，４１ｂがレール状のフレームである基台上枠２０４に対して斜めになったり、各転パイプ間の間隔が変わるような状況が生じないか又は生じにくい。
【００５０】
つまり、栽培装置１は、移動機構４に多数の軸受を必要としない簡易な構造でありながらも、栽培装置１へ設計時に想定していないような負荷が加わらないか又は加わりにくいので、移動機構４を原因とする装置の破損が起こらないか又は起こりにくい。また、簡易な構造であるので、製造コストが抑制することができる。
【００５１】
スライド部３が左右いずれかの端部までスライド移動すると、移動方向と反対側の（左右いずれか一方）の下部ストッパー枠３４４と基台部２の移動方向と反対側の連結枠２１とが当たってスライド移動が止まり、それ以上は進まない（図２参照）。
【００５２】
そして、スライド部３が左右いずれかの端部までスライド移動し、重心が左右いずれかの方向に移動したとしても、スライド部３の下部ストッパー下枠３４６を基台部２の連結枠２１の下側に配置しているので、スライド部３が基台部２から外れることがなく、安全である（図１及び図２参照）。
【００５３】
図４及び図５を参照して、栽培装置１を使用した屋内での園芸生産システムの作用を説明する。
なお、本実施の形態では、園芸生産を行う作業場はビニールハウスＤ内であるが、他の構造物の内部であってもよいし、屋外であってもよい。
【００５４】
ビニールハウスＤ内に複数の栽培装置１をそのスライド方向に並列に配置する。載置台Ａのスライド部３の上にパレットＢを載置すると、パレットＢは載置枠３３により支持される（図２参照）。パレットＢ上に培地を収容した水耕栽培用プランターＣを載置させる（図４及び図５参照）。
【００５５】
通常時（特に作業を行わない場合）、各栽培装置のスライド部は少なくとも一列の通路分のスペースＥ１を空けて（隣接させるか又はほぼ隙間を空けずに）寄せておく（図４参照）。
これにより、本来固定的な通路を設ける予定の分のスペースに栽培装置１を配置することができ、栽培面積を増加させることができるので、土地効率が良い。
【００５６】
園芸作業を行う場合には、作業対象となる水耕栽培用プランターＣの横に通路ができるように、任意の栽培装置１のスライド部３を水平方向にスライド移動させて、前記スペースＥ１と異なる箇所に通路のスペースＥ２を作る（図５参照）。
【００５７】
この作業の際には、前記の通り、移動機構４を原因とする装置の破損が起こらないか又は起こりにくく、また、スライド部３のスライド移動によって重心が移動したとしても、スライド部３と基台部２との組み合わせ構造によってスライド部３が基台部２から外れることがなく、安全に園芸作業ができる（図１及び図２参照）。
【００５８】
また、必要に応じて栽培装置１を移動させることで作業が必要な栽培装置への通路を作ることができるので、効率的な園芸作業を行うことができる。
【００５９】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６０】
１    栽培装置
Ａ    載置台
Ｂ    パレット
Ｃ    水耕栽培用プランター
Ｄ    ビニールハウス
Ｅ１，Ｅ２    スペース
２    基台部
２０    枠体
２０２    基台縦枠
２０４    基台上枠
２０６    基台下枠
２１    連結枠
３    スライド部
３０    主枠
３１    短辺枠
３２    長辺枠
３３    載置枠
３４    ストッパー枠
３４２    上部ストッパー枠
３４４    下部ストッパー枠
３４６    下部ストッパー下枠
４    移動機構
４１ａ，４１ｂ    転パイプ
４２    スペーサー部材
４２２    保持管
４２４    スペーサー桿
【図１】
2012152193.tif 000003
【図２】
2012152193.tif 000004
【図３】
2012152193.tif 000005
【図４】
2012152193.tif 000006
【図５】
2012152193.tif 000007